(57)【要約】【課題】パッドのずれを生じさせにくくするとともに、着用者がパッドを装着していることに気づきにくくパンツの着用感を損なわない穿き心地の失禁パンツを提供する。【解決手段】尿とりパッド２０が貼付されるハンモック部１０を失禁パンツ１の内側に備え、ハンモック部１０は、その一端がパンツ前上縁部２に縫着され、他端がパンツ後上縁部３に縫着され、パンツのクロッチ部４において縫着されずに宙吊りになっており、パンツの前上縁部２側の端が折り返され、尿とりパッド２０の端部を保持するパッド端取付部１１が形成されている。【選択図】図３
2018000221.tif 000002
【特許請求の範囲】
【請求項１】
尿とりパッドを装着可能な失禁パンツであって、
尿とりパッドが貼付されるハンモック部をパンツの内側に備え、
前記ハンモック部は、その一端がパンツの前上縁部に縫着され、他端がパンツの後上縁部に縫着され、パンツのクロッチ部において縫着されずに宙吊りになっている
ことを特徴とする失禁パンツ。
【請求項２】
前記ハンモック部は、パンツの前上縁部側の端が折り返され、尿とりパッドの端部を保持するパッド端取付部が形成されている
ことを特徴とする請求項１記載の失禁パンツ。
【請求項３】
前記パッド端取付部は、尿取りパッドと接する面に面ファスナーを備えており、当該面ファスナーが尿とりパッドの端部を保持する
ことを特徴とする請求項２記載の失禁パンツ。
【請求項４】
前記ハンモック部は、前よりも後端が幅広になっている
ことを特徴とする請求項１〜３のいずれか１項に記載の失禁パンツ。
【発明の詳細な説明】
【技術分野】
【０００１】
本発明は、男性用の失禁パンツに関し、特に尿とりパッドに対応した失禁パンツに関する。
【背景技術】
【０００２】
男女を問わず健康体であっても加齢により頻尿の症状が出てくることが知られており、くしゃみやちょっとした動作の拍子に尿漏れが発生することがある。特に男性の場合、前立腺肥大の影響により昼夜にかかわらず頻尿の度合いが多くなるといわれている。そのため、オムツ型の紙パンツや尿とりパッドなどの尿漏れ対策の商品が提案され、実際に市販されている。尿とりパッドには、尿漏れを吸収するパッド、横漏れ防止用の襞付きのパッドなどたくさんの種類があるが、男性用と女性用とに分けられていることが多い。男性には陰茎や陰嚢があるからで、男性特有の前部の膨らみを考慮して男性用の尿とりパッドや尿とりパッドに対応した下着について種々提案がされている。例えば、特許文献１では、装着感やフィット性を損なわずに、尿の吸収性を高めることができ、尿漏れを効果的に抑制する男性用失禁パッドが開示されている。
【先行技術文献】
【特許文献】
【０００３】
【特許文献１】特開２０１５−１８８７１４号公報
【発明の概要】
【発明が解決しようとする課題】
【０００４】
しかしながら、いかに装着感やフィット性を追求してもパッドという異物をパンツ（トランクス型やブリーフ型などを問わず）に装着すれば穿き心地に違和感を生じさせてしまう。また、パッドの厚みで動きが制約されてしまうことにもなりかねず、パンツであるのにオムツを穿いている感覚になって快適性を欠くという問題がある。
【０００５】
パッドをパンツに取り付ける際には、粘着テープ等でパンツの内側に貼り付けることが行われているが、強固に固定されていないため身体の動きにつれてパッドがずれてしまったり、安定感に劣ってパッドが尿を受け切れずに尿漏れを発生させてしまったりすることもある。
【０００６】
さらに、使い捨ての尿とりパッドの材質は紙が用いられることが多く、パッドの材質とパンツの生地の材質とが合わないこともある。例えば、冬季用のように繊維生地表面を起毛した場合には、パッドが繊維生地に引っ付きにくくなり、装着性が悪化するだけでなくパッドがパンツから滑り落ちてパッドの体を為さないこともある。
【０００７】
そこで、本発明は、このような問題に鑑みなされたものであり、パッドのずれを生じさせにくくするとともに、着用者がパッドを装着していることに気づきにくくパンツの着用感を損なわない穿き心地の失禁パンツを提供することを目的とする。
【課題を解決するための手段】
【０００８】
上記課題を解決するために、本発明に係る失禁パンツは、尿とりパッドを装着可能な失禁パンツであって、尿とりパッドが貼付されるハンモック部をパンツの内側に備え、前記ハンモック部は、その一端がパンツの前上縁部に縫着され、他端がパンツの後上縁部に縫着され、パンツのクロッチ部において縫着されずに宙吊りになっていることを特徴とする。
【０００９】
これによれば、尿とりパッドが貼付されるハンモック部は身体の動きに追随して動くので、パッドの位置ずれを生じにくくすることができ、パンツの着用感を損なわない穿き心地に優れた失禁パンツが実現される。
【００１０】
ここで、前記ハンモック部は、パンツの前上縁部側の端が折り返され、尿とりパッドの端部を保持するパッド端取付部が形成されているとするのが好ましく、さらに、前記パッド端取付部は、尿取りパッドと接する面に面ファスナーを備えており、当該面ファスナーが尿とりパッドの端部を保持するとするのが好ましい。
【００１１】
これによれば、尿取りパッドの全体が粘着テープ等によってハンモック部に保持されるだけでなく、尿とりパッドの端部もパッド端取付部でハンモック部に保持されるので、より一層パッドの位置ずれを生じさせにくくすることができる。また、パッド端取付部を面ファスナーとして尿とりパッドの先端を保持することとしているので、パッドの交換作業も簡便で、取り外しおよび取り付けを容易にしている。
【００１２】
さらに、前記ハンモック部は、前よりも後端が幅広になっているのが好ましい。
【００１３】
これによれば、ハンモック部が着用者の臀部を包み込むので、身生地がお尻に食い込むことがなく、穿き心地をさらに良好にすることができる。
【発明の効果】
【００１４】
以上のように、本発明に係る失禁パンツによれば、パンツの前方および後方において端部が縫着された宙吊り状態のハンモック部に尿とりパッドを貼付することにより、ハンモック部が身体の動きに追随して動くので、尿とりパッドが位置ずれを生じにくくなり、着用者に快適な穿き心地を提供することができる。
【図面の簡単な説明】
【００１５】
【図１】実施形態１の失禁パンツの正面図である。
【図２】実施形態１の失禁パンツの背面図である。
【図３】実施形態１の失禁パンツの断面図である。
【図４】実施形態１の失禁パンツの展開図である。
【図５】パッド端取付部の拡大断面図である。
【図６】パッド端取付部の拡大断面図の別の例である。
【図７】パッド端取付部の拡大断面図の別の例である。
【図８】実施形態２の失禁パンツの背面図である。
【図９】実施形態２の失禁パンツの展開図である。
【発明を実施するための形態】
【００１６】
以下、本発明の実施形態について図面を参照しながら説明する。
【００１７】
図１は、実施形態１の失禁パンツの正面図であり、図２は背面図である。図３は、図１のＡ−Ａ線での断面図であり、図４は失禁パンツの展開図である。
【００１８】
失禁パンツ１は、内側（身体側）に尿とりパッド２０を装着可能とした男性用下着であり、尿とりパッド２０を装着するためのハンモック部１０を備えている。
【００１９】
ハンモック部１０は、尿とりパッド２０を装着するため、尿取りバッド２０の幅よりも広幅になっている。ハンモック部１０は、一方の端が失禁パンツ１のパンツ前上縁部２（例えば前側のウエストゴム部）に縫着され、他方の端が失禁パンツ１のパンツ後上縁部４（例えば後側のウエストゴム部）に縫着されている。ハンモック部１０の中間にあたる失禁パンツ１のクロッチ部４においては、縫着されず遊離している。つまり、ハンモック部１０は、パンツ前上縁部２とパンツ後上縁部４とにおいてのみ縫着により固定されており、失禁パンツ１の内側においてハンモックのように宙吊り状態になっている。
【００２０】
ハンモック部１０は、尿とりパッド２０が貼付される装着部になるとともに、男性器の保持部としても機能する。そのため、ハンモック部１０を構成する生地は、身体の動きに追随可能な伸縮性を有している生地（例えば、フライス編みのニット生地）が用いられる。織物のように伸縮性に乏しいものは適さない。用いられる繊維は天然繊維であると合成繊維であるとを問わないが、既に市販されている従来の尿とりパッド２０が取り付け可能なように、粘着テープの粘着力を阻害しないようにしておくのが好ましい。
【００２１】
ハンモック部１０の前側、つまり、パンツ前上縁部２に縫着される側の端部は、尿取りパッド２０をハンモック部１０に保持して位置ずれを防ぐためのパッド端取付部１１が形成されている。
【００２２】
図５ないし図７は、パッド端取付部の例を示す拡大断面図である。
【００２３】
図５では、ハンモック部１０の身生地の端を折り返してポケット状のパッド端取付部１１を形成し、パッド端取付部１１の尿取りパッド２０と接する面に面ファスナー１２を設ける例を示している。尿取りパッド２０は粘着テープ２１によってハンモック部１０に保持されるだけでなく、尿取りパッド２０はポケット状のパッド端取付部１１に挿入されて尿取りパッド２０の端部と面ファスナー１２とが係合することにより、ハンモック部１０に保持される。これにより、身体の動きに追随して位置ずれを生じにくくすることができる。ここで用いる面ファスナー１２は、両面結束バンドタイプのものを用いるのが好ましい。また、紙製の尿取りパッド２０では、使い捨てタイプであるため取替の容易性を考慮する必要がある。面ファスナー１２の鍵数が多いと尿取りパッド２０との係合力が強くなって剥がしにくくなり、鍵数が少ないと係合力が弱くなって剥がれやすく十分な保持力を発揮できなくなる。そのため、面ファスナーの鍵数は３０〜５０／ｃｍ2にするのが好ましい。
【００２４】
図６では、ハンモック部１０の端を２回折り返してパッド端取付部１３を形成し、尿取りパッド２０の端も折り返して包みこむようにして保持する例を示している。
【００２５】
図７では、ハンモック部１０の端を折り返してパッド端取付部１４を形成し、パッド端取付部１４に２箇所の切り込みを設けて尿取りパッド２０の端部を切り込みに挿通させて保持する例を示している。
【００２６】
いずれの保持の仕方も、ハンモック部１０の身生地および失禁パンツ１の身生地と身体とで尿取りパッド２０の端部が押さえつけられるので、ずれ落ちることはない。尿取りパッド２０を取り換える際には失禁パンツ１を脱いで身体と身生地との押さえつけがなくなるため、尿取りパッド２０の取り外しを容易にすることができる。
【００２７】
なお、ハンモック部１０の前側の端部において尿取りパッド２０の端部を保持するものであれば、ここに挙げた例に限られずその他の構成（例えばボタンによる留め構造）であってもよい。
【００２８】
続いて、実施形態２の失禁パンツについて説明する。
【００２９】
図８は、実施形態２の失禁パンツの背面図であり、図９は展開図である。
【００３０】
実施形態２の失禁パンツ５は、ハンモック部３０が、パンツ前上縁部６における幅よりもパンツ後上縁部７における幅が広くなっている点で実施形態１と異なっている。このようにハンモック部３０の前側を台形の上辺として後側を台形の下辺とするように、ハンモック部後端３２を前よりも幅広に構成することで、ハンモック部３０が着用者の臀部を包み込むようになり、ハンモック部３０の身生地がお尻に食い込むことがなく、穿き心地を良好にすることができる。
【００３１】
以上、本発明に係る失禁パンツについて、各実施の形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００３２】
例えば、上記各実施の形態では、ブリーフタイプのパンツを図示して説明したが、トランクスやボクサーブリーフなどのパンツであってもよい。
【産業上の利用可能性】
【００３３】
本発明は、失禁用パンツに適用可能であり、男性向け尿とりパッドを装着して使用するための失禁用パンツとして有用である。
【符号の説明】
【００３４】
１，５  失禁パンツ
２，６  パンツ前上縁部
３，７  パンツ後上縁部
４，８  クロッチ部
１０，３０    ハンモック部
１１，１３，１４，３１    パッド端取付部
１２    面ファスナー
２０    尿とりパッド
２１    粘着テープ
３２    ハンモック部後端
【図１】
2018000221.tif 000003
【図２】
2018000221.tif 000004
【図３】
2018000221.tif 000005
【図４】
2018000221.tif 000006
【図５】
2018000221.tif 000007
【図６】
2018000221.tif 000008
【図７】
2018000221.tif 000009
【図８】
2018000221.tif 000010
【図９】
2018000221.tif 000011